(57)【要約】      （修正有）【課題】順次スタックに重ねられた数枚のシートの少なくとも先端エッジを整列し、シートの順番を維持する、ための装置及び方法に関する。【解決手段】装置の受け台１６の一方側に、シート０４の先端エッジを整列するための先端エッジストッパを備えている。支持プレートが受け台の上流に配置されていて、その支持プレートに、先端エッジが整列していないシートのスタックが置かれている。シートフィーダーはシートを支持プレートからはずし、先端エッジが前のシートの下に配置して重なった列としている。反転装置０６がシートフィーダーの下流に配置されていて、各シートの先端エッジが自由にアクセスできるように、重なった列を回転する。反転装置の下流に、移動装置１７が配置されていて、その移動装置によりシートは移動され、新しいスタックを形成し、受け台の先端エッジストッパにシートの先端エッジが整列されている。【選択図】図２
2008169044.tif 000002
【特許請求の範囲】
【請求項１】
シート（０４）の順番を維持する場合に、順次一群として配列された複数のシート（０４）の少なくとも先端エッジを整列するための整列用装置であり、一方の側に該シート（０４）の該先端エッジを整列するための先端エッジストッパを備えた受け台（１６）を有している、整列用装置であって；
支持プレートが該受け台（１６）の上流に配置され、該支持プレートには該シート（０４）が先端エッジを整列されずにセットされており；該整列用装置（０１）がシートフィーダー（０２）を含んでいて、該シートフィーダー（０２）により、該シート（０４）が、該支持プレートから取りはずされ、覆瓦状に重なった列を形成しており；ターニング装置（０６）が該シートフィーダー（０２）の下流に配置され、該ターニング装置（０６）により、該重なった列は、該シート（０４）各々がその先端エッジ領域において移動装置（１７）に自由にアクセスできるように反転されており；該移動装置（１７）が該ターニング装置（０６）の下流に配置され、該移動装置（１７）により該シート（０４）各々は、該受け台（１６）の該先端エッジストッパへ移動され、プロセスにおいて新しい一群に形成され、かつ該先端エッジを用いて該先端エッジストッパに整列されている；整列用装置において：
整列用装置（０１）は、該重なった列における該シート（０４）の側面エッジを横方向に整列することのできるサイドプルタイプレイ（０７）を含んでいて；
該サイドプルタイプレイ（０７）は該シートフィーダー（０２）と該ターニング装置（０６）との間に配置されていることを特徴とする；整列用装置。
【請求項２】
シート（０４）の順番を維持する場合に、一群として順次配列された複数のシート（０４）の少なくとも先端エッジを整列するための整列用装置であり、一方の側に該シート（０４）の該先端エッジを整列するための先端エッジストッパを備えた受け台（１６）を有している、整列用装置であって；
支持プレートが該受け台（１６）の上流に配置され、該支持プレートには該シート（０４）が先端エッジを整列されずにセットされており；該整列用装置（０１）がシートフィーダー（０２）を含んでいて、該シートフィーダー（０２）により、該シート（０４）が、該支持プレートから取りはずされ、覆瓦状に重なった列を形成しており；ターニング装置（０６）が該シートフィーダー（０２）の下流に配置され、該ターニング装置（０６）により、該重なった列は、該シート（０４）各々がその先端エッジ領域において移動装置（１７）に自由にアクセスできるように反転されており；該移動装置（１７）が該ターニング装置（０６）の下流に配置され、該移動装置（１７）により該シート（０４）各々が、該受け台（１６）の該先端エッジストッパへ移動され、プロセスにおいて新しい一群に形成され、かつ該先端エッジを用いて該先端エッジストッパに整列されている；整列用装置において：
整列用装置（０１）は、該重なった列における該シート（０４）の側面エッジを横方向に整列することのできるサイドプルタイプレイ（０７）を含んでいて；
該重なった列における該シート（０４）の重複を大きくするために、該サイドプルタイプレイ（０７）に対する該側面エッジの整列に伴なって該シート（０４）の移動速度が遅くなっていることを特徴とする；整列用装置。
【請求項３】
該ターニング装置（０６）がローラ（１３）を含んでいて、該ローラ（１３）の円周に対して、該重なった列の該シート（０４）が、接触できるようになっていて、かつ回転駆動されている該ローラ（１３）により回転できるようになっていることを特徴とする、請求項１又は２に記載の整列用装置。
【請求項４】
該ターニング装置（０６）がガイドベルト（１２）を含んでいて、該ガイドベルト（１２）により該シート（０４）を、少なくともある区画において、該ローラ（１３）の円周に押しつけることができることを特徴とする、請求項３に記載の整列用装置。
【請求項５】
該ガイドベルト（１２）は、少なくとも該ターニング装置（１０）の出口において、吸引ベルト（１２）となっていることを特徴とする、請求項４に記載の整列用装置。
【請求項６】
吸引ボデー（１８）を有している少なくとも一つの移動装置（１７）により、重なった列における個々のシート（０４）を移動するための装置（０１）であって；
該吸引ボデー（１８）は、該個々のシート（０４）を重ねて新しい一群のシート（０４）を形成している場合、該新しい一群の上に配置されていて、かつ該重なった列の個々のシート（０４）は、該吸引ボデー（１８）と該新しい一群のシート（０４）の最上部との間で該新しい一群のシート（０４）の最上部へ供給されるようになっていて、該吸引ボデー（１７）は垂直方向に移動可能なように取りつけられている；シート（０４）を移動するための装置（０１）において；
該吸引ボデー（１８）が、回転駆動することのできる吸引ローラ（１８）であることを特徴とする；シート（０４）を移動するための装置（０１）。
【請求項７】
該移動装置（１７）は吸引ボデーユニット（１７）のようになっていて、該吸引ボデーユニット（１７）の吸引ボデー（１８）は、該先端エッジが該移動装置（１７）へ自由にアクセスできる領域において、該重なった列の該シート（０４）へ吸引により取りつけられ、同一の駆動作用により該シート（０４）を該先端エッジストッパへ向けて移動することを特徴とする、請求項１又は２に記載の整列用装置。
【請求項８】
該吸引ボデー（１８）は、回転駆動することのできる吸引ローラ（１８）のようになっていることを特徴とする、請求項７に記載の整列用装置。
【請求項９】
該吸引ボデーユニット（１７）が垂直方向に移動可能なように取りつけられていることを特徴とする、請求項７に記載の整列用装置。
【請求項１０】
該吸引ボデーユニット（１７）の垂直位置が、新しく形成されたシート（０４）の群の高さに応じて変更することができることを特徴とする、請求項６又は９に記載の装置。
【発明の詳細な説明】
【技術分野】
【０００１】
本発明は、請求項１，２又は６の前文にもとずく、一群に順次重ねられたシートを整列するための装置と方法とに関する。
【０００２】
装置は、例外なく、例えば印刷したシートを少なくとも一方のエッジに沿って十分な精度で順次整列するために使用されていて、その結果スタックはエッジにおいて切り揃えることができる。相当数の印刷製品、例えば登録番号を備えた有価証券の場合、シート印刷が完了すると、スタックを形成する群におけるシートの順番を維持する必要がある。
【背景技術】
【０００３】
特許文献１は、平らな郵便物のスタックを形成するための装置を開示している。この場合、不揃で到着した郵便物は、重ねられスタックにセットされる。
【０００４】
特許文献２は、折ったシートの群用のスタック用装置を開示している。この場合、シートを重ね合わせた群はシリンダ周囲にガイドされ、ベルト移動装置により反転される。シートの群はストッパーに対して整列されそしてスタックにされる。
【０００５】
特許文献３は、シートが第一スタックの下側から送られるシート処理機械を開示している。処理に続いて、重なっていないシートが、ベルト装置によりセット位置へ移動され、吸引コンベヤ手段により第二スタックの上部にセットされる。
【０００６】
特許文献４は、振動台式の装置を開示している。受け台がこの振動台に備えられていて、横方向ストッパが、受け台の少なくとも二つの隣接する側面に配置されており、これらのストッパはシートの側面エッジに接触することが可能である。順次重ねられたシートの群を整列させるために、その一群は受け台にセットされ、続いて受け台は、シートの側面エッジが重力でストッパに接触するようになるまで、二つのストッパ方向へ傾斜される。続いて、振動台は、振動され、シートの一群をほどき、個々のシートのお互いに対する整列運動を可能にしている。
特許文献５は、シート移動用装置を開示していて、ターニング装置がシートフィーダーの背後に配置されており、そのターニング装置を用いて下方に重なったシートの列は、シートの先端エッジ領域において自由にアクセスできるように回転される。
【特許文献１】独国実用新案第６８０９１５６号明細書
【特許文献２】独国特許第１２３２９８６号明細書
【特許文献３】独国欧州特許出願公開第０１７３９５９号明細書
【特許文献４】独国欧州特許出願公開第０６１４８４０号明細書
【特許文献５】日本国特開昭５１−００５１１１号公報
【発明の開示】
【発明が解決しようとする課題】
【０００７】
本発明の目的は、群に順次重ねられたシートの整列用装置及び方法に関する。
【課題を解決するための手段】
【０００８】
本目的は、本発明による請求項１，８又は１０の形態により達成されている。
【０００９】
本発明における利点は、特に先端エッジの整列されていないシートの一群が、受け台に直接セットされるというよりは、むしろ上流の支持プレートにセットされることにある。装置はシートフィーダーを含んでいて、そのシートフィーダーにより支持プレートにセットされたシートが個々に取りはずされ移動され、覆瓦状に重なった列がプロセスに形成される。この覆瓦状に重なった列において、各シートの先端エッジは、各々の場合、直前のシートの下に配置されている。その結果、シートが分離される場合でも、シートの順番は不変である。装置は、シートフィーダーの下流にターニング装置を含んでいて、ターニング装置により重なったシートが回転される。重なったシートの回転は、各シートの先端エッジ領域での各シートへの完全なアクセスを可能にしている。
【００１０】
個々のシートを正確に整列するための移動装置が、ターニング装置の下流に備えられていて、この移動装置がシートを受け台の先端エッジストッパへ個別に移動する。先端エッジに対するシートの先端エッジの当接により、シートの所望する整列が達成され、同時に、各々の場合にすべてが先端エッジストッパに対し当接している、シートの新しい群が形成される。シート各々が、先端エッジストッパに対する整列運動中に、新しく形成された群の頂部に重なるので、整列運動は他のシートの重量により妨げられることはない。しかしながら、同時に、再スタック運転と対照的に、群におけるシートの順番が維持されている。初期の群におけるすべてのシートが通過してしまうと、先端エッジが整列している新しいシートの群は、受け台に形成され、当初の最頂部のシートが、新しい群の底に正しく配置される。
【００１１】
本発明における例示の実施態様を以下により詳細に説明し、かつ添付図面に示めす。
【発明を実施するための最良の形態】
【００１２】
装置０１を構成するために、公知のシートフィーダー０２が使用されてもよい。シートフィーダー０２は、図１に図示されていない支持プレートを含んでいて、その支持プレートには、順次配列されたシート０４の群がセットされていて、そのシート０４は、例えば有価証券と登録番号とを印刷したシートである。移動可能な吸引ローラ０３を用いて、公知な方法でシート０４が一群から個々に取りはずされ、覆瓦状に重なった列を形成していて、その場合、シート０４は自身の先端エッジを前のシート０４の下に配置されており、さらにシート０４は、ターニング装置０６の方向へ移動される。
【００１３】
サイドプルタイプレイ０７が、シートフィーダー０２とターニング装置０６との間に備えられていて、そのレイ０７に対して、重なった列の個々のシートの右側面エッジが、横方向に整列されている。
【００１４】
シートフィーダー０２における吸引ベルト０８の移動速度は、ターニング装置０６におけるそれの移動速度より速くて、その結果重なった列の移動速度は、サイドプルタイプレイ０７に対するシート０４の整列に伴なって低減されている。その結果、重なった列におけるシート０４個々の間の重なりは増大し、従って重なった列は、よりゆっくりと移動し、その結果すでに横方向に整列されたシート０４はより滑らかに走行する。運転用コンソール１１において、装置への制御指令を送り、かつ種々の運転状態を表示することが可能である。
【００１５】
図２に示めすように、ターニング装置０６の入口において、シート０４が、吸引ベルト０９と循環用ガイドベルト１２との間で吸引され、１５０°−２１０°旋回し、さらにローラ１３例えば吸引ローラ１３の方向に移動される。吸引ローラ１３は矢印１４の方向に回転し、その結果ターニング装置０６の入口において、覆瓦状に重なった列は、ターニング装置０６の出口においてシート０４が、各々の場合シートの先端エッジに自由にアクセスできるように、回転されていて、一方で、シート０４各々の後端は、重なった列における次のシート０４それぞれの下に配置される。
【００１６】
ターニング装置０６の下流側に受け台１６が配置されていて、その受け台１６の後方端部は先端エッジストッパを備えているが、図２には図示されていない。吸引ボデーユニット１７が、移動装置１７として作用し、かつ回転方向に駆動することのできる二つの吸引ボデー１８、例えば吸引ローラ１８を有していて、その吸引ボデーユニット１７により、重なった列における個々のシート０４は、吸引によりシートの先端エッジにおいて連続的に揃えられ、かつ先端エッジストッパに対して移動されていて、そのストッパは図示されていない。装置０１の連続運転が、順次配列されかつ受け台１６に形成された、シート０４の新しい一群をもたらし、それらの先端エッジと両側端とは各々の場合整列されている。吸引ボデーユニット１７により、シート０４の新しい一群の受ける重量が先端の整列を妨げることがないように、センサ（図示されていない）により新しい一群の高さを測定し、この測定値にもとずいて吸引本体ユニット１７を垂直方向に調節することが可能となっている。その結果、吸引ローラ１８は、その円周レベルを新しい一群の最上面に合わされていて、従って、各々の場合整列される最上部のシート０４を押しつけないようになっている。
【００１７】
装置０１は例えば以下のように運転できる：
一たん、例えば、百枚のシート０４が、装置０１により引き出されると、装置０１は一定時間停止され、その結果、シートの走行は中断される。それぞれ重なった列に集められたシート０４は、続いてターニング装置０６により受け台１６へ移動されかつ積み重ねられ、プロセスにおいて新しい一群が形成される。重なった列におけるすべてのシート０４が前方レイに対して整列されるや否や、それぞれの一群は受け台１６により下流側の装置（図示されていない）方向に運搬されていて、その下流側の装置は、例えばシート０４のエッジを切り揃える作用をしている。
【００１８】
工程を通して、第一スタックから取りはずされたシートの先端は、移動方向に配向され、すなわち、セットダウンされたスタックの場合において、シートの先端が、移動方向に対して先導している。
【００１９】
銀行券印刷用に、装置０１は、個々のシート０４の登録番号を監視することのできるカメラ装置２１を含んでいてもよい。
【００２０】
図３は、ターニング装置０６を下から見た斜視図であって、ターニング装置０６は、循環用ガイドベルト１２及び吸引ローラ１３を備えている。ターニング装置０６の出口において、ガイドベルト１２が、吸引ボックス２２に沿ってガイドされていて、従って吸引ベルト１２のような作用をしていることが理解されるであろう。このことが、シート０４を、ターニング装置０６の出口において吸引により揃え、かつ所定位置に位置決めすることを保証している。
【図面の簡単な説明】
【００２１】
【図１】図１は、シート整列用装置の上方から見た斜視図である。
【図２】図２は、図１におけるシート整列用装置の上方から見た拡大詳細斜視図である。
【図３】図３は、図１におけるシート整列用装置に使用するための反転装置の下から見た斜視図である。
【符号の説明】
【００２２】
０１    装置
０２    シートフィーダー
０３    吸引ローラ
０４    シート
０５    −
０６    ターニング装置
０７    サイドプルタイプレイ
０８    吸引ベルト（０２）
０９    吸引ベルト（０６）
１０    −
１１    運転用コンソール
１２    ガイドベルト、吸引ベルト
１３    ローラ、吸引ローラ
１４    移動方向矢印
１５    −
１６    受け台
１７    移動装置、吸引ボデーユニット
１８    吸引ボデー、吸引ローラ
１９    −
２０    −
２１    カメラ装置
２２    吸引ボックス
【図１】
2008169044.tif 000003
【図２】
2008169044.tif 000004
【図３】
2008169044.tif 000005